(57)【要約】  本発明の実施例において、音量表示方法、装置、端末装置および記憶媒体を公開する。前記音量表示方法は、ビデオ表示画面において音量調節指令を獲得するステップと、前記音量調節指令により前記ビデオ表示画面上の放映プログレスバーを音量ステータスバーに変換させ、かつ前記音量ステータスバー上に音量調節指令により音量ステータスバーの長さが変化する過程を表示するステップとを含む。
2021527901.tif 000002
【特許請求の範囲】
【請求項１】
ビデオ表示画面において音量調節指令を獲得するステップと、
前記音量調節指令により前記ビデオ表示画面上の放映プログレスバーを音量ステータスバーに変換させ、かつ前記音量ステータスバー上に音量調節指令により音量ステータスバーの長さが変化する過程を表示するステップとを含む音量表示方法。
【請求項２】
前記音量ステータスバー上に音量調節指令により音量ステータスバーの長さが変化する過程を表示するステップは、新しい音量調節指令が再び検出される場合、前記音量ステータスバー上に再び検出された音量調節指令により音量ステータスバーの長さが変化する過程を表示するステップを更に含む請求項１に記載の音量表示方法。
【請求項３】
前記音量表示方法は、前記音量ステータスバー上に音量調節指令により音量ステータスバーの長さが変化する過程を表示するステップが実施された後のステップ、すなわち予め設定時間内に新しい音量調節指令が再び検出されない場合、前記音量ステータスバーを前記放映プログレスバーに変換させることにより現在のビデオのプログレスを表示するステップを更に含む請求項１に記載の音量表示方法。
【請求項４】
前記音量表示方法は前記音量調節指令によりシステムの音量画像を隠蔽させるステップを更に含む請求項１に記載の音量表示方法。
【請求項５】
前記音量画像を隠蔽させるステップは、前記音量画像を表示区域の外部へ移動させる方法、前記音量画像中の引用インターフェースを隠蔽させる方法、前記音量画像を透明状態に表示する方法のうちいずれか一種の方法により実施される請求項４に記載の音量表示方法。
【請求項６】
前記音量ステータスバー上の音量を表示するカラーと前記放映プログレスバー上の放映プログレスを表示するカラーは異なっている請求項１に記載の音量表示方法。
【請求項７】
前記音量ステータスバー上に音量調節指令により音量ステータスバーの長さが変化する過程を表示するステップは、
音量調節指令を獲得する前の音量が最大音量に占める比率により初期の音量ステータスバーの長さを確定するステップと、
前記音量調節指令により調節される音量が最大音量に占める比率により音量ステータスバーの長さの変化を確定し、かつ前記音量ステータスバー上に前記初期の音量ステータスバーの長さによりその長さが変化する過程を表示するステップとを含む請求項１に記載の音量表示方法。
【請求項８】
ビデオ表示画面において音量調節指令を獲得するように設けられる調節指令獲得モジュールと、
前記音量調節指令により前記ビデオ表示画面上の放映プログレスバーを音量ステータスバーに変換させ、かつ前記音量ステータスバー上に音量調節指令により音量ステータスバーの長さが変化する過程を表示するように設けられる音量ステータスバー変換モジュールとを含む音量表示装置。
【請求項９】
前記音量表示装置は音量調節モジュールを更に含み、前記音量調節モジュールは、前記音量ステータスバー上に音量調節指令により音量ステータスバーの長さが変化する過程を表示した後、新しい音量調節指令が再び検出される場合、前記音量ステータスバー上に再び検出された音量調節指令により音量ステータスバーの長さが変化する過程を表示するように設けられる請求項８に記載の音量表示装置。
【請求項１０】
前記音量表示装置はプログレスバー変換モジュールを更に含み、前記プログレスバー変換モジュールは、前記音量ステータスバー上に音量調節指令により音量ステータスバーの長さが変化する過程を表示した後、予め設定時間内に新しい音量調節指令が再び検出されない場合、前記音量ステータスバーを前記放映プログレスバーに変換させることにより現在のビデオのプログレスを表示するように設けられる請求項８に記載の音量表示装置。
【請求項１１】
前記音量表示装置は前記音量調節指令によりシステムの音量画像を隠蔽させるように設けられる音量画像隠蔽モジュールを更に含む請求項８に記載の音量表示装置。
【請求項１２】
前記音量ステータスバー上の音量を表示するカラーと前記放映プログレスバー上の放映プログレスを表示するカラーは異なっている請求項８に記載の音量表示装置。
【請求項１３】
前記音量ステータスバー変換モジュールは初期長さ確定ユニットと過程変換表示ユニットを含み、
前記初期長さ確定ユニットは音量調節指令を獲得する前の音量が最大音量に占める比率により初期の音量ステータスバーの長さを確定するように設けられ、
前記過程変換表示ユニットは、前記音量調節指令により調節される音量が最大音量に占める比率により音量ステータスバーの長さの変化を確定し、かつ前記音量ステータスバー上に前記初期の音量ステータスバーの長さによりその長さの変化過程を表示するように設けられる請求項８に記載の音量表示装置。
【請求項１４】
少なくとも１つの処理装置と少なくとも１つのプログラムが記憶されている記憶装置とを含み、
前記少なくとも１つのプログラムが前記少なくとも１つの処理装置によって実行されることにより請求項１〜７のうちいずれか一項に記載の音量表示方法を実施する端末装置。
【請求項１５】
プログラムが記憶されており、前記プログラムが実行されることにより請求項１〜７のうちいずれか一項に記載の音量表示方法を実施するコンピュータ読み取り可能な記憶媒体。
【発明の詳細な説明】
【技術分野】
【０００１】
（関連出願の引用）
本出願は、２０１８年０７月０６日に中国専利局（特許庁に相当）に提出し、出願番号が２０１８１０７３７２６３．９である中国特許出願の優先権を出張し、その中国出願の全文の内容を本出願に組み込む。
【０００２】
本発明の実施例は、ビデオの放映技術に関し、例えば音量表示方法、装置、端末装置および記憶媒体に関するものである。
【背景技術】
【０００３】
情報技術の迅速な発展に伴い、端末装置にはビデオを放映するソフトウェアが多くインストールされ、使用者はビデオ放映ソフトウェアによりネットワークのビデオまたは装置のビデオを観覧することができる。
【０００４】
従来のビデオ放映ソフトウェアによりビデオを観覧するとき、音量を調節しようとすると、ビデオを放映しているデスクトップの中央位置に音量調節画面が表示される。音量調節画面が目立つので、使用者は音量を容易に調節することができるが、使用者がビデオを観覧することに影響を与えるおそれがある。
【発明の概要】
【発明が解決しようとする課題】
【０００５】
以下、本発明の技術的事項の重点を略述するが、下記概要は本発明の特許請求の範囲を制限するものでない。
【０００６】
本発明の実施例において、音量表示方法、装置、端末装置および記憶媒体を提供する。
【課題を解決するための手段】
【０００７】
本発明の実施例において音量表示方法を提供する。前記音量表示方法は、ビデオ表示画面において音量調節指令を獲得するステップと、前記音量調節指令により前記ビデオ表示画面上の放映プログレスバーを音量ステータスバーに変換させ、かつ前記音量ステータスバー上に音量調節指令により音量ステータスバーの長さが変化する過程を表示するステップとを含む。
【０００８】
本発明の実施例において音量表示装置を更に提供する。前記音量表示装置は、ビデオ表示画面において音量調節指令を獲得するように設けられる調節指令獲得モジュールと、前記音量調節指令により前記ビデオ表示画面上の放映プログレスバーを音量ステータスバーに変換させ、かつ前記音量ステータスバー上に音量調節指令により音量ステータスバーの長さが変化する過程を表示するように設けられる音量ステータスバー変換モジュールとを含む。
【０００９】
本発明の実施例において端末装置を更に提供する。前記端末装置は少なくとも１つの処理装置と少なくとも１つのプログラムが記憶されている記憶装置とを含み、前記少なくとも１つのプログラムが前記少なくとも１つの処理装置によって実行されることにより本発明の実施例に係るいずれか１つの音量表示方法を実施する。
【００１０】
本発明の実施例においてコンピュータ読み取り可能な記憶媒体を更に提供する。前記コンピュータ読み取り可能な記憶媒体にはプログラムが記憶されており、前記プログラムが実行されることにより本発明の実施例に係るいずれか１つの音量表示方法を実施する。
【００１１】
以下、本発明の図面と明細書を読むことにより本発明のいろいろな事項をより詳細に理解することができる。
【図面の簡単な説明】
【００１２】
【図１ａ】本発明の実施例に係る音量表示方法を示す流れ図である。
【図１ｂ】本発明の実施例のビデオ表示画面に放映プログレスバーが表示されることを示す図である。
【図１ｃ】本発明の実施例のビデオ表示画面に音量ステータスバーが表示されることを示す図である。
【図２】本発明の実施例に係る音量表示方法を示す流れ図である。
【図３】本発明の実施例に係る音量表示方法を示す流れ図である。
【図４】本発明の実施例に係る音量表示装置の構造を示す図である。
【図５】本発明の実施例に係る端末装置のハードウェアの構造を示す図である。
【発明を実施するための形態】
【００１３】
以下、本発明の図面と実施例により本発明の事項をより詳細に説明する。注意されたいことは、下記具体的な実施例は本発明を説明するためのものであり、本発明を限定するものでない。説明を簡単にするため、図面に本発明に係る部分のみを示す場合がある。
【００１４】
図１ａは本発明の実施例に係る音量表示方法を示す流れ図である。本実施例の音量表示方法によりビデオを観覧する過程において音量を調節することができる。前記音量表示方法は前記音量表示装置により実施されることができる。前記音量表示装置はソフトウェアとハードウェアのうち少なくとも一種により実施され、前記音量表示装置を携帯電話またはタブレット等の端末装置に搭載させることができる。前記音量表示方法はステップ１１０とステップ１２０を含む。
【００１５】
ステップ１１０において、ビデオ表示画面において音量調節指令を獲得する。
【００１６】
ビデオ表示画面はビデオ放映画面とビデオ一時停止画面を含む。
【００１７】
ビデオを放映するか或いは停止させる過程において、使用者は音量ボタンをクリックすることにより音量を調節し、ビデオ表示画面において放映プログレスバーを表示することにより現在のビデオのプログレスを表示することができる。ビデオ表示画面において、音量ボタンにより使用者の音量調節指令を獲得することができる。前記音量調節指令は音量を増加させる指令または音量を減少させる指令を含む。使用者が音量増加ボタンをクリックすることにより音量増加指令を獲得し、使用者が音量減少ボタンをクリックすることにより音量減少指令を獲得することができる。
【００１８】
ステップ１２０において、前記音量調節指令により前記ビデオ表示画面上の放映プログレスバーを音量ステータスバーに変換させ、かつ前記音量ステータスバー上に音量調節指令により音量ステータスバーの長さが変化する過程を表示する。
【００１９】
音量調節指令を獲得した後、ビデオ表示画面上の放映プログレスバーを音量ステータスバーに変換させ、かつ音量ステータスバー上に音量調節指令により音量を調節する過程を表示する。すなわち音量ステータスバー上に音量調節指令により音量ステータスバーの長さが変化する過程を表示する。例えば音量増加指令を受信する場合、まず放映プログレスバーを音量ステータスバーに変換させ、かつ音量ステータスバー上に音量増加指令を受信する前の元の音量を表示する。次に音量ステータスバー上に元の音量から所定の音量を増加させる過程を表示する。音量減少指令を受信する場合、まず放映プログレスバーを音量ステータスバーに変換させ、かつ音量ステータスバー上に音量減少指令を受信する前の元の音量を表示する。次に音量ステータスバー上に元の音量から所定の音量を減少させる過程を表示する。
【００２０】
本発明の実施例において、前記音量ステータスバー上の音量を表示するカラーと前記放映プログレスバー上の放映プログレスを表示するカラーは異なり、それにより使用者は放映プログレスバーを音量ステータスバーに変換させる過程を容易に把握し、使用者の体験を向上させることができる。
【００２１】
図１ｂは本発明の実施例のビデオ表示画面に放映プログレスバーが表示されることを示す図である。図１ｂに示すとおり、ビデオ表示画面の下方の辺縁には放映プログレスバー１が表示され、放映プログレスバー１上には現在の放映のプログレスが表示されている。放映の流れにより放映プログレスバー１上の放映プログレスバーは右に移動する。ビデオを放映する過程において、使用者の音量調節指令を受信すると、放映プログレスバーを音量ステータスバーに変換させる。図１ｃに示すとおり、音量ステータスバー２を表示するカラーと放映プログレスバーを表示するカラーは異なることにより、使用者は現在の放映プログレスバーを音量ステータスバーに変換させる過程を容易に把握することができる。
【００２２】
本発明の実施例において、ビデオ表示画面において音量調節指令を獲得した後、ビデオ表示画面上の放映プログレスバーを音量ステータスバーに変換させ、かつ音量ステータスバー上に音量調節指令により音量ステータスバーの長さが変化する過程を表示する。放映プログレスバーを表示する区域はビデオ表示画面の辺縁に位置し、放映プログレスバーは線状に表示されているので、放映プログレスバーを音量ステータスバーに変換させるとき、音量ステータスバーは使用者がビデオを観覧することに影響を与えない。したがって音量が表示されることにより使用者がビデオを観覧することに影響を与えることを避け、使用者の体験を向上させることができる。
【００２３】
本発明の実施例において、前記音量ステータスバー上に音量調節指令により音量ステータスバーの長さが変化する過程を表示するステップは、新しい音量調節指令が再び検出される場合、前記音量ステータスバー上に再び検出された音量調節指令により音量ステータスバーの長さが変化する過程を表示するステップを更に含むことができる。
【００２４】
音量調節指令により音量を調節した後、新しい音量調節指令が再び検出される場合、音量が調節される元の音量ステータスバー上に、再び検出された音量調節指令により音量ステータスバーの長さが変化する過程を直接に表示することができる。例えば、音量増加指令を初めて受信する場合、まず放映プログレスバーを音量ステータスバーに変換させ、かつ音量ステータスバー上に音量増加指令を受信する前の元の音量を表示する。次に音量ステータスバー上に元の音量から所定の音量を増加させる過程を表示する。新しい音量増加指令が再び検出される場合、初めて増加した音量から所定の音量が増加する過程を表示する。音量減少指令を受信する場合、まず放映プログレスバーを音量ステータスバーに変換させ、かつ音量ステータスバー上に音量減少指令を受信する前の元の音量を表示する。次に音量ステータスバー上に元の音量から所定の音量を減少させる過程を表示する。新しい音量減少指令が再び検出される場合、初めて減少した音量から所定の音量を減少させる過程を表示する。音量増加指令を初めて受信した後音量減少指令を再び受信するか或いは、音量減少指令を初めて受信した後音量増加指令を再び受信することもできる。その場合の調節の過程も前記実施例と類似している。音量を調節する過程を直観的に表示することにより、使用者は音量を調節する過程を容易に把握し、使用者の体験を向上させることができる。
【００２５】
本発明の音量表示方法は、前記音量ステータスバー上に音量調節指令により音量ステータスバーの長さが変化する過程を表示するステップが実施された後のステップ、すなわち予め設定時間内に新しい音量調節指令が再び検出されない場合、前記音量ステータスバーを前記放映プログレスバーに変換させるにより現在のビデオのプログレスを表示するステップを更に含むことができる。
【００２６】
予め設定時間は需要により自由に設定することができる。例えばそれを４００ｍｓに設定することができる。
【００２７】
使用者が音量を調節した後、予め設定時間内に新しい音量調節指令が再び検出されない場合、音量ステータスバーを放映プログレスバーに変換させるにより現在のビデオのプログレスを表示する。すなわち音量を調節する過程においてビデオがずっと放映されているとき、音量ステータスバーを放映プログレスバーに変換させるにより現在のビデオのプログレスを表示し、かつ放映プログレスバー上の現在のビデオのプログレスを表示する。
【００２８】
図２は本発明の実施例に係る音量表示方法を示す流れ図である。前記実施例と本実施例の相違点は、本実施例の音量表示方法が前記音量調節指令によりシステムの音量画像を隠蔽させるステップを更に含むことにある。本実施例の音量表示方法はステップ２１０〜ステップ２３０を含む。
【００２９】
ステップ２１０において、ビデオ表示画面において音量調節指令を獲得する。
【００３０】
ステップ２２０において、前記音量調節指令によりシステムの音量画像を隠蔽させる。
【００３１】
音量調節指令を受信した後、システムの音量画像を隠蔽させることにより、システムの音量画像が出ることにより使用者のビデオの観覧に影響を与えることを避けることができる。
【００３２】
音量画像を隠蔽させるステップは、前記音量画像を表示区域の外部へ移動させる方法、前記音量画像中の引用インターフェースを隠蔽させる方法、前記音量画像を透明状態に表示する方法のうちいずれか一種の方法により実施されることができる。
【００３３】
表示区域は通常、具体的な座標範囲内に位置している。音量画像を表示区域が位置している座標範囲の外部へ移動させることによりシステムの音量画像を隠蔽させることができる。音量調節指令を受信するとき、音量画像中の引用インターフェースを隠蔽させることにより、音量画像が再び引用されることを防止し、システムの音量画像を隠蔽させることができる。音量画像を透明状態に表示する場合、ビデオ表示画面においてシステムの音量画像を見ることができ、システムの音量画像を隠蔽させる目的を達成することができる。前記音量画像を隠蔽させる方法は本発明の例示にしか過ぎないものであるため、本技術分野の技術者は音量画像を隠蔽させる方法として前記方法だけでなく、他の方法を用いることもできる。すなわち音量画像を隠蔽させることができる方法であればいずれもよい。
【００３４】
ステップ２３０において、前記ビデオ表示画面上の放映プログレスバーを音量ステータスバーに変換させ、かつ前記音量ステータスバー上に音量調節指令により音量ステータスバーの長さが変化する過程を表示する。
【００３５】
本実施例において、音量調節指令を受信した後、システムの音量画像を隠蔽させることにより、システムの音量画像が出ることを避け、放映プログレスバーを音量ステータスバーに変換させることと音量を調節する過程のみを表示することができるので、使用者の体験を向上させることができる。
【００３６】
図３は本発明の実施例に係る音量表示方法を示す流れ図である。前記実施例と本実施例の相違点は、前記音量ステータスバー上に音量調節指令により音量ステータスバーの長さが変化する過程を表示するステップが、音量調節指令を獲得する前の音量が最大音量に占める比率により初期の音量ステータスバーの長さを確定するステップと、前記音量調節指令により調節される音量が最大音量に占める比率により音量ステータスバーの長さの変化を確定し、かつ前記音量ステータスバー上に前記初期の音量ステータスバーの長さによりその長さが変化する過程を表示するステップとを含むことにある。本実施例の音量表示方法はステップ３１０〜ステップ３２０を含む。
【００３７】
ステップ３１０において、ビデオ表示画面において音量調節指令を獲得する。
【００３８】
ステップ３２０において、前記音量調節指令によりビデオ表示画面上の放映プログレスバーを音量ステータスバーに変換させ、音量調節指令を獲得する前の音量が最大音量に占める比率により初期の音量ステータスバーの長さを確定する。
【００３９】
音量調節指令を受信するとき、ビデオ表示画面上の放映プログレスバーを音量ステータスバーに変換させ、かつ音量調節指令を受信する前の音量が最大音量に占める比率を確定する。次に、音量調節指令を獲得する前の音量が最大音量に占める比率により初期の音量ステータスバーの長さを確定する。
【００４０】
ステップ３３０において、前記音量調節指令により調節される音量が最大音量に占める比率により音量ステータスバーの長さの変化を確定し、かつ前記音量ステータスバー上に前記初期の音量ステータスバーの長さによりその長さが変化する過程を表示する。
【００４１】
音量調節指令は音量を増加させる指令または音量を減少させる指令を含む。
【００４２】
各音量調節指令により調節される音量は一定である。すなわち使用者が音量増加ボタンまたは音量減少ボタンを一回クリックするとき、増加する音量または減少する音量は一定であり、音量調節指令により調節される音量が最大音量に占める比率も一定である。例えば、音量調節指令が音量増加指令であるとき、音量ステータスバーの長さは変化しかつ所定のサイズが増加する。音量調節指令が音量減少指令であるとき、音量ステータスバーの長さは変化しかつ所定のサイズが減少する。音量ステータスバーの長さの変化を確定した後、音量ステータスバー上に初期の音量ステータスバーの長さにより音量ステータスバーの長さが変化する過程を表示する。例えば、音量ステータスバーの長さを変化させることが所定のサイズを増加させることであるとき、音量ステータスバー上に初期の音量ステータスバーの長さにより音量ステータスバーの長さが所定のサイズ増加する過程を表示し、かつ音量ステータスバーの長さが変化することにより長さが増加した音量ステータスバーを表示する。音量ステータスバーの長さを変化させることが所定のサイズを減少させることであるとき、音量ステータスバー上に初期の音量ステータスバーの長さにより音量ステータスバーの長さが所定のサイズ減少する過程を表示し、かつ音量ステータスバーの長さが変化することにより長さが減少した音量ステータスバーを表示する。
【００４３】
本実施例と前記実施例を比較してみると、本実施例の技術的事項により、音量調節指令を獲得する前の音量が最大音量に占める比率により初期の音量ステータスバーの長さを確定し、かつ前記音量調節指令により調節される音量が最大音量に占める比率により音量ステータスバーの長さの変化を確定し、かつ音量ステータスバー上に初期の音量ステータスバーの長さにより音量ステータスバーの長さが変化する過程を表示することができる。それにより使用者は、音量を調節する過程を直観的に把握し、使用者の体験を向上させることができる。
【００４４】
図４は本発明の実施例に係る音量表示装置の構造を示す図である。本実施例の音量表示装置によりビデオを観覧する過程において音量を調節することができる。すなわち前記音量表示装置により音量表示方法を実施することができる。前記音量表示装置はソフトウェアとハードウェアのうち少なくとも一種により実施され、前記音量表示装置を携帯電話またはタブレット等の端末装置に搭載させることができる。図４に示すとおり、本実施例の音量表示装置は調節指令獲得モジュール４１０と音量ステータスバー変換モジュール４２０を含む。
【００４５】
調節指令獲得モジュール４１０はビデオ表示画面において音量調節指令を獲得するように設けられる。
【００４６】
音量ステータスバー変換モジュール４２０は、前記音量調節指令により前記ビデオ表示画面上の放映プログレスバーを音量ステータスバーに変換させ、かつ前記音量ステータスバー上に音量調節指令により音量ステータスバーの長さが変化する過程を表示するように設けられる。
【００４７】
本発明の実施例において、前記音量表示装置は音量調節モジュールを更に含むことができる。前記音量調節モジュールは、前記音量ステータスバー上に音量調節指令により音量ステータスバーの長さが変化する過程を表示した後、新しい音量調節指令が再び検出される場合、前記音量ステータスバー上に再び検出された音量調節指令により音量ステータスバーの長さが変化する過程を表示するように設けられる。
【００４８】
本発明の実施例において、前記音量表示装置はプログレスバー変換モジュールを更に含むことができる。前記プログレスバー変換モジュールは、前記音量ステータスバー上に音量調節指令により音量ステータスバーの長さが変化する過程を表示した後、予め設定時間内に新しい音量調節指令が再び検出されない場合、前記音量ステータスバーを前記放映プログレスバーに変換させるにより現在のビデオのプログレスを表示するように設けられる。
【００４９】
本発明の実施例において、前記音量表示装置は音量画像隠蔽モジュールを更に含むことができる。前記音量画像隠蔽モジュールは前記音量調節指令によりシステムの音量画像を隠蔽させるように設けられる。
【００５０】
本発明の実施例において、音量画像隠蔽モジュールは、前記音量画像を表示区域の外部へ移動させる方法、前記音量画像中の引用インターフェースを隠蔽させる方法、前記音量画像を透明状態に表示する方法のうちいずれか一種の方法により実施されることができる。
【００５１】
本発明の実施例において、前記音量ステータスバー上の音量を表示するカラーと前記放映プログレスバー上の放映プログレスを表示するカラーは異なることができる。
【００５２】
本発明の実施例において、音量ステータスバー変換モジュールは初期長さ確定ユニットと過程変換表示ユニットを含む。初期長さ確定ユニットは音量調節指令を獲得する前の音量が最大音量に占める比率により初期の音量ステータスバーの長さを確定するように設けられる。過程変換表示ユニットは、前記音量調節指令により調節される音量が最大音量に占める比率により音量ステータスバーの長さの変化を確定し、かつ前記音量ステータスバー上に前記初期の音量ステータスバーの長さによりその長さの変化過程を表示するように設けられる。
【００５３】
前記音量表示装置により本発明の各実施例に係る音量表示方法を実施することができ、前記音量表示装置は音量表示方法の各ステップに対応する機能モジュールを含むことができる。本実施例において説明しない技術的事項は本発明の各実施例に係る音量表示方法の説明を参照することができる。
【００５４】
図５は本発明の実施例に係る端末装置のハードウェアの構造を示す図である。端末装置はいろいろな装置であることができる。本発明の端末装置は例えば、携帯電話、スマートウォッチ（Smart  Watches）、ノートブックコンピューター、デジタル放送受信装置、パーソナルデジタルアシスタント（Personal  Digital  Assistant、ＰＤＡと略称）、タブレットコンピュータ、ポータブルマルチメディアプレーヤー（Portable  Multimedia  Player、ＰＭＰと略称）、ナビゲーションデバイス、車用端末装置、車用表示装置、車用電子ミラー等の携帯式端末装置と、デジタルテレビ（Television、ＴＶと略称）、デスクトップコンピュータ等の固定式式端末装置とを含むことができるが、それらにのみ限定されるものでない。
【００５５】
図５に示すとおり、端末装置５００は、無線通信ユニット５１０、オーディオ／ビデオ（Audio/Video、Ａ／Ｖ）入力ユニット５２０、使用者入力ユニット５３０、検出ユニット５４０、出力ユニット５５０、記憶装置５６０、接続ユニット５７０、処理装置５８０および電源ユニット５９０等を含む。図５にはいろいろなモジュールを含む端末装置が示されているが、その端末装置は図５のすべてのモジュールを含まなければならないものでなく、一部分のモジュールを取り替えるか或いは一部分のモジュールを加減することができる。
【００５６】
無線通信ユニット５１０は端末装置５００と無線通信システムまたはネットワークとの間の無線通信を随時に担当する。Ａ／Ｖ入力ユニット５２０はオーディオまたはビデオ信号を受信する。使用者入力ユニット５３０は使用者が入力する指令でキーボード入力データを形成することにより端末装置の各操作を制御する。検出ユニット５４０は、端末装置５００の現在の状態、端末装置５００の位置、使用者が端末装置５００をタッチすること、端末装置５００の傾向、端末装置５００の加速、減速および方向等を検出し、かつ端末装置５００を制御する命令または信号を形成する。接続ユニット５７０は少なくとも１個の外部装置と端末装置５００が通信をするように連結させる接続口である。出力ユニット５５０は、視覚、オーディオおよび触覚のうち少なくとも一種に適用する信号を出力するように構成される。記憶装置５６０は処理装置５８０が処理した結果と操作を制御するソフトウェア、プログラム等を記憶するか或いは既に出力されたデータまたは間もなく出力するデータを一時に記憶する。記憶装置５６０は少なくとも一種の記憶媒体を含むことができる。端末装置５００はネットワークにより端末装置５００の記憶機能をするネットワーク記憶装置と協力することができる。処理装置５８０は通常、端末装置の全体操作を制御する。処理装置５８０はマルチメディアデータを再生するか或いは再放送するマルチメディアモジュールをふくむことができる。処理装置５８０は、モデルを認識することにより使用者がタッチパネルに入力する手書きまたは画を認識し、かつそれをキャラクターまたが画像に変換することができる。電源ユニット５９０は処理装置５８０の制御により外部電力または内部電力を受信しかつその電力を各ユニットとモジュールに適当に供給する。
【００５７】
処理装置５８０は記憶装置５６０に記憶されているプログラムを実行することにより端末装置５００の各機能を実施するとともにデータを処理する。例えば、本発明の実施例に係る音量表示方法は、ビデオ表示画面において音量調節指令を獲得するステップと、前記音量調節指令により前記ビデオ表示画面上の放映プログレスバーを音量ステータスバーに変換させ、かつ前記音量ステータスバー上に音量調節指令により音量ステータスバーの長さが変化する過程を表示するステップとを含む。
【００５８】
本発明の実施例において、コンピュータ実行可能な指令が記憶されている記憶媒体を更に提供する。前記コンピュータ実行可能な指令がコンピュータの処理装置に実行されることにより音量表示方法を実施することができる。前記音量表示方法は、ビデオ表示画面において音量調節指令を獲得するステップと、前記音量調節指令により前記ビデオ表示画面上の放映プログレスバーを音量ステータスバーに変換させ、かつ前記音量ステータスバー上に音量調節指令により音量ステータスバーの長さが変化する過程を表示するステップとを含む。
【００５９】
本発明の実施例において、コンピュータ実行可能な指令が記憶されている記憶媒体を更に提供する。コンピュータで指令を実行することにより、前記音量表示方法だけでなく、本発明の実施例に係る音量表示方法中の所定の操作も実施することができる。
【００６０】
前記実施例の説明を参照する場合、本技術分野の技術者は本発明のソフトウェアと必須のハードウェアにより本発明を実施するか或いはハードウェアにより本発明を実施するができる。本発明の技術的事項または発明の効果を奏することができる特別な技術的事項はソフトウェアより実施するができる。前記コンピュータのソフトウェアをコンピュータ読み取り可能な記憶媒体に記憶することができる。コンピュータ読み取り可能な記憶媒体は例えば、ソフトディスク、リードオンリーメモリー（ＲＯＭ、Read-Only  Memory）、ランダムアクセスメモリ（RAM、Random  Access  Memory）、フラッシュ（FLASH）、ハードディスクまたはライトディスク等であることができる。コンピュータ読み取り可能な記憶媒体に記憶されている指令をコンピュータ（コンピュータ、サーバーまたはネットワーク装置等）で実行することにより本発明の実施例の方法を実施することができる。
【００６１】
注意されたいことは、前記音量表示装置の実施例において、その音量表示装置に含まれている各ユニットとモジュールはロジックの需要により配置されているが、本発明は前記配置にのみ限定されるものでなく、本発明の機能を実現できるいずれかの順番に配置することができる。また、各ユニットの名称は前記名称にのみ限定されるものでなく、各ユニットの名称を変更させることができ、各ユニットの名称により本発明の特許請求の範囲を限定する意図はない。
【図１ａ】
2021527901.tif 000003
【図１ｂ】
2021527901.tif 000004
【図１ｃ】
2021527901.tif 000005
【図２】
2021527901.tif 000006
【図３】
2021527901.tif 000007
【図４】
2021527901.tif 000008
【図５】
2021527901.tif 000009
【国際調査報告】
2021527901.tif 000010
2021527901.tif 000011
2021527901.tif 000012
2021527901.tif 000013